(57)【要約】【課題】放電領域に対する制御気体の導入を確実に行い、放電生成物等の発生を抑制するとともに発生した放電生成物等を速やかに放電領域から排出し、放電生成物等による感光体のダメージを低減する。【解決手段】感光体６の外周面における帯電ローラ１１との対向位置、感光体６の外周面における帯電ローラ１１との対向位置より感光体６の回転方向に沿った上流側、帯電ローラ１１の外周部の一部をケース１５で囲み、このケース１５内に放電生成物等の発生を抑制する制御気体を供給する。制御気体を放電領域に導入することにより放電生成物等の発生を抑制し、かつ、放電領域を通過してケース１５外に出た制御気体のケース１５内への入り込みを阻止するとともにケース１５内からの制御気体の排出を促進し、放電生成物等による感光体６の劣化を防止する。【選択図】　　図２
2004109811.tif 000002
【特許請求の範囲】
【請求項１】
帯電された感光体の外周面を露光して静電潜像を形成し、静電潜像が形成された前記感光体にトナーを供給してトナー像を形成し、形成されたトナー像を記録媒体に転写する電子写真方式の画像形成装置において、
前記感光体の外周面に非接触に対向配置されて前記感光体に対して連れ回り方向に回転する帯電ローラと、
前記感光体の外周面における前記帯電ローラとの対向位置を含む前記感光体の回転方向に沿った前記帯電ローラとの対向位置の上流側及び前記帯電ローラの外周部の一部を囲むケースと、
前記帯電ローラの表層気流が前記帯電ローラの回転方向に沿った前記感光体との対向位置の下流側から前記ケース内に入り込むことを阻止するとともに前記ケース内から前記ケース外への気体の流出を許容するように配置された気流阻止部材と、
制御気体を供給する制御気体供給部と、
前記制御気体供給部に連通して前記ケースに形成され、前記制御気体供給部から供給された制御気体を前記ケース内に前記感光体の長手方向に沿って略均等に流入させる流入口と、
を有することを特徴とする電子写真方式の画像形成装置。
【請求項２】
帯電された感光体の外周面を露光して静電潜像を形成し、静電潜像が形成された前記感光体にトナーを供給してトナー像を形成し、形成されたトナー像を記録媒体に転写する電子写真方式の画像形成装置において、
前記感光体の外周面に非接触に対向配置されて前記感光体に対して連れ回り方向に回転する帯電ローラと、
前記感光体の外周面における前記帯電ローラとの対向位置を含む前記感光体の回転方向に沿った前記帯電ローラとの対向位置の上流側と下流側及び前記帯電ローラの全体を囲むケースと、
前記帯電ローラの表層気流が前記ケース内における前記感光体の回転方向に沿った前記帯電ローラとの対向位置の下流側である下流側空間から前記感光体の回転方向に沿った前記帯電ローラとの対向位置の上流側である上流側空間に入り込むことを阻止するとともに前記上流側空間から前記下流側空間への気体の流出を許容するように前記ケース内に配置された気流阻止部材と、
制御気体を供給する制御気体供給部と、
前記制御気体供給部と前記上流側空間とを連通するように前記ケースに形成され、前記制御気体供給部から供給された制御気体を前記上流側空間内に前記感光体の長手方向に沿って略均等に流入させる流入口と、
前記下流側空間に連通して前記ケースに形成された排気口と、
を有することを特徴とする電子写真方式の画像形成装置。
【請求項３】
帯電された感光体の外周面を露光して静電潜像を形成し、静電潜像が形成された前記感光体にトナーを供給してトナー像を形成し、形成されたトナー像を記録媒体に転写する電子写真方式の画像形成装置において、
前記感光体の外周面に接触して配置されて前記感光体に対して連れ回り方向に回転する接触帯電ローラと、
前記感光体の外周面における前記接触帯電ローラの接触位置を含む前記感光体の回転方向に沿った前記接触帯電ローラとの接触位置の上流側と下流側及び前記接触帯電ローラの全体を囲むケースと、
前記接触帯電ローラの表層気流が前記ケース内における前記感光体の回転方向に沿った前記帯電ローラとの接触位置の下流側である下流側空間から前記感光体の回転方向に沿った前記帯電ローラとの接触位置の上流側である上流側空間に入り込むことを阻止するとともに前記上流側空間から前記下流側空間への気体の流出を許容するように前記ケース内に配置された気流阻止部材と、
制御気体を供給する制御気体供給部と、
前記制御気体供給部と前記上流側空間とを連通するように前記ケースに形成され、前記制御気体供給部から供給された制御気体を前記上流側空間内に前記感光体の長手方向に沿って略均等に流入させる流入口と、
前記下流側空間に連通して前記ケースに形成された排気口と、
外部からの気体が前記下流側空間に入り込むことを許容する隙間をもって前記ケースの下端側縁部と前記感光体の外周面との間に形成された第２流入口と、
を有することを特徴とする電子写真方式の画像形成装置。
【請求項４】
前記ケースにおける前記感光体の回転方向に沿った上流側に対向する縁部に前記感光体の外周面に摺接する可撓性接触部材が設けられていることを特徴とする請求項１ないし３のいずれか一記載の電子写真方式の画像形成装置。
【請求項５】
前記気流阻止部材として、前記帯電ローラに平行に近接配置されてこの帯電ローラに対してカウンタ回転するカウンタローラが設けられていることを特徴とする請求項１ないし４のいずれか一記載の電子写真方式の画像形成装置。
【請求項６】
前記カウンタローラの外周面は租面加工されていることを特徴とする請求項５記載の電子写真方式の画像形成装置。
【請求項７】
前記カウンタローラの直径は前記帯電ローラの直径より小径であることを特徴とする請求項５又は６記載の電子写真方式の画像形成装置。
【請求項８】
前記カウンタローラの外周面にブラシが植毛されていることを特徴とする請求項５記載の電子写真方式の画像形成装置。
【請求項９】
前記気流阻止部材として、一端が前記帯電ローラの外周面に近接対向して他端が前記排気口に対向する板状障壁が設けられていることを特徴とする請求項２ないし４のいずれか一記載の電子写真方式の画像形成装置。
【請求項１０】
帯電された感光体の外周面を露光して静電潜像を形成し、静電潜像が形成された前記感光体にトナーを供給してトナー像を形成し、形成されたトナー像を記録媒体に転写する電子写真方式の画像形成装置において、
前記感光体の外周面に非接触に対向配置されて前記感光体に対して連れ回り方向に回転する帯電ローラと、
前記感光体の外周面に沿った表層気流が流れる所定寸法の隙間をもって前記帯電ローラの外周面を覆い、前記感光体と前記帯電ローラとの対向位置よりも前記感光体の回転方向に沿った上流側近傍に位置して前記感光体から離反する向きに延出した排気流路が形成されたケースと、
制御気体を供給する制御気体供給部と、
前記制御気体供給部から供給される制御気体を前記感光体の外周面に沿った表層気流として前記感光体と前記帯電ローラとの対向位置に向けて案内するガイド部と、
を有することを特徴とする電子写真方式の画像形成装置。
【請求項１１】
帯電された感光体の外周面を露光して静電潜像を形成し、静電潜像が形成された前記感光体にトナーを供給してトナー像を形成し、形成されたトナー像を記録媒体に転写する電子写真方式の画像形成装置において、
前記感光体の外周面に接触して配置されて前記感光体に対して連れ回り方向に回転する接触帯電ローラと、
前記感光体の外周面に沿った表層気流が流れる所定寸法の隙間をもって前記接触帯電ローラの外周面を覆い、前記感光体と前記接触帯電ローラとの接触位置よりも前記感光体の回転方向に沿った上流側近傍に位置して前記感光体から離反する向きに延出した排気流路が形成されたケースと、
制御気体を供給する制御気体供給部と、
前記制御気体供給部から供給される制御気体を前記感光体の外周面に沿った表層気流として前記感光体と前記接触帯電ローラとの接触位置に向けて案内するガイド部と、
外部からの気体が前記感光体と前記接触帯電ローラとの接触位置よりも前記感光体の回転方向に沿った下流側に入り込むことを許容する隙間をもって前記ケースの下端側縁部と前記感光体の外周面との間に形成された第２流入口と、
を有することを特徴とする電子写真方式の画像形成装置。
【請求項１２】
前記感光体の外周面に向けて供給される制御気体に前記感光体の長手方向の全域に渡って旋回流を発生させる旋回流発生手段が設けられていることを特徴とする請求項１０又は１１記載の電子写真方式の画像形成装置。
【請求項１３】
前記旋回流発生手段は、前記感光体の長手方向と平行に配設されたダクトとこのダクト内に配設された羽根車とを有することを特徴とする請求項１２記載の電子写真方式の画像形成装置。
【請求項１４】
前記ガイド部内に、前記感光体の外周面に対向する除電手段が設けられていることを特徴とする請求項１０ないし１３のいずれか一記載の電子写真方式の画像形成装置。
【請求項１５】
前記第２流入口に位置して、前記感光体に対してカウンタ回転する第２カウンタローラが設けられていることを特徴とする請求項３又は１１記載の電子写真方式の画像形成装置。
【発明の詳細な説明】
【０００１】
【発明の属する技術分野】
本発明は、電子写真方式の画像形成装置に関する。
【０００２】
【従来の技術】
電子写真方式の画像形成装置で使用される帯電装置においては、放電領域でオゾンやＮＯｘなどの放電生成物が発生し、これが水分と反応して感光体に像流れなどのダメージを与えることから、放電領域から放電生成物を速やかに排出することや、放電領域の環境を低湿に維持することが求められる。
【０００３】
放電領域から放電生成物を排出する排出手段としては、気流生成による強制排出が一般的に行われており、ワイヤのコロナ放電を利用した帯電チャージャでは、ケーシングの長手方向に気流を流す方法が採られている。
【０００４】
しかし、接触型或いは非接触型の帯電ローラを用いた場合には、同一手法を採ることは容易でない。何故ならば、図１３に示すように、帯電ローラ１００は帯電幅に対応して長尺となり、放電領域である帯電ローラ１００と感光体１０１との近接部は一般に数十〜数百μｍと狭く、放電領域に沿って長手方向に空気を流しても流路の圧力損失が非常に大きいため、長手方向に均一な気流を形成して排出することは極めて困難である。帯電ローラ１００をケース１０２で囲い、ケース１０２内の上部空間に対して長手方向に空気を流すことも考えられるが、この場合、必ずしも放電領域の空気を置換することができるわけではなく、しかも、本来必要な除去すべき放電領域の空気量に対して大きな流量を必要とし、無駄が多い。また、帯電ローラと感光体との接触部分に向けて送風するようにした画像形成装置も知られている（特許文献１、特許文献２参照）。
【０００５】
ここで、ケース１０２内に供給する空気として、放電によりＮＯｘやオゾンを発生しにくい不活性ガスや、発生したＮＯｘが感光体１０１に付着しやすい硝酸アンモニウムに化学変化することを抑制できる低湿空気を用いることにより、感光体１０１のダメージが低減される。
【０００６】
【特許文献１】
特開平８−１５２７６４号公報
【特許文献２】
特開平８−２０２１２６号公報
【０００７】
【発明が解決しようとする課題】
しかし、上述したように、ケース１０２内に不活性ガスや低湿空気等の制御気体を流すだけでは、帯電ローラ１００と感光体１０１との近接部である放電領域にその制御気体を導入することが難しく、目的とする感光体１０１のダメージの低減を図ることが難しい。
【０００８】
本発明の目的は、帯電ローラと感光体との近接部である放電領域に対する制御気体の導入を確実に行い、放電生成物の発生を抑制するとともに発生した放電生成物を速やかに放電領域から排出し、放電生成物による感光体のダメージを低減して感光体の長寿命化を図ることである。
【０００９】
【課題を解決するための手段】
請求項１記載の発明は、帯電された感光体の外周面を露光して静電潜像を形成し、静電潜像が形成された前記感光体にトナーを供給してトナー像を形成し、形成されたトナー像を記録媒体に転写する電子写真方式の画像形成装置において、前記感光体の外周面に非接触に対向配置されて前記感光体に対して連れ回り方向に回転する帯電ローラと、前記感光体の外周面における前記帯電ローラとの対向位置を含む前記感光体の回転方向に沿った前記帯電ローラとの対向位置の上流側及び前記帯電ローラの外周部の一部を囲むケースと、前記帯電ローラの表層気流が前記帯電ローラの回転方向に沿った前記感光体との対向位置の下流側から前記ケース内に入り込むことを阻止するとともに前記ケース内から前記ケース外への気体の流出を許容するように配置された気流阻止部材と、制御気体を供給する制御気体供給部と、前記制御気体供給部に連通して前記ケースに形成され、前記制御気体供給部から供給された制御気体を前記ケース内に前記感光体の長手方向に沿って略均等に流入させる流入口と、を有することを特徴とする。
【００１０】
本発明及び以下の各発明において、「制御気体」とは、感光体を劣化させる原因となるＮＯｘやオゾン等の放電生成物の発生を抑えることができるように制御された不活性ガス等の各種気体、発生したＮＯｘが感光体の画像流れの発生原因となる硝酸アンモニウムに化学変化することを抑制できる低湿空気等を意味する。この制御気体を感光体の放電領域に供給することにより、放電に伴う放電生成物の発生、発生したＮＯｘの硝酸アンモニウム等への化学変化が抑制され、放電生成物や硝酸アンモニウム等が原因となる感光体の劣化が防止され、感光体の耐久性がアップする。
【００１１】
本発明及び以下の各発明において、「制御気体供給部」とは、上述した制御気体を生成する手段やそれらの制御気体を供給可能に貯留している手段を意味する。
【００１２】
したがって、制御気体供給部から供給された制御気体が流入口からケース内に流入すると、その制御気体の一部は帯電ローラの表層気流となって帯電ローラの回転方向に沿って流れ、帯電ローラと感光体とが近接する領域である放電領域に導入される。これにより、ケース内の放電領域における放電生成物や放電生成物からの硝酸アンモニウム（以下、放電生成物等という）の発生が抑制され、感光体の劣化が防止されるとともに感光体の耐久性がアップする。
【００１３】
また、帯電ローラの表層気流は帯電ローラの長手方向の全域で同じように生じるので、感光体の長手方向の全域で放電生成物等の発生が抑制される。
【００１４】
ケース内の放電領域まで導入された制御気体の一部は、感光体と帯電ローラとの間の隙間部分を通り、感光体の外周面における帯電ローラと感光体との対向位置より感光体の回転方向に沿った下流側の放電領域、即ち、ケース外に位置する放電領域に導入される。これにより、ケース外の放電領域でも放電生成物等の発生が抑制され、より一層の感光体の劣化防止、耐久性アップが図られる。
【００１５】
感光体と帯電ローラとの間の隙間部分を通過した制御気体の一部は、帯電ローラの表層気流となって帯電ローラの回転方向に沿って流れるが、この表層気流は、気流阻止部材により再びケース内に入り込むことが阻止される。このため、放電領域を通過した後に帯電ローラの表層気流となってケース外を流れる制御気体中に放電生成物等が含まれている場合であっても、その放電生成物等がケース内に入り込むことが防止される。
【００１６】
ケース内の放電領域まで導入された制御気体の一部であって感光体と帯電ローラとの間の隙間部分に入り込まなかった制御気体は、その放電領域から戻るとともに上流側空間２２内で旋回した後に、ケース内に流入した低湿空気の一部であってケース内の放電領域に導入されなかった低湿空気と合流し、気流阻止部材の箇所からケース外に流出する。
【００１７】
このようにして、ケース内に流入した制御気体は順次ケース外に排気されるので、ケース内への放電生成物等の残留が生じない。
【００１８】
請求項２記載の発明は、帯電された感光体の外周面を露光して静電潜像を形成し、静電潜像が形成された前記感光体にトナーを供給してトナー像を形成し、形成されたトナー像を記録媒体に転写する電子写真方式の画像形成装置において、前記感光体の外周面に非接触に対向配置されて前記感光体に対して連れ回り方向に回転する帯電ローラと、前記感光体の外周面における前記帯電ローラとの対向位置を含む前記感光体の回転方向に沿った前記帯電ローラとの対向位置の上流側と下流側及び前記帯電ローラの全体を囲むケースと、前記帯電ローラの表層気流が前記ケース内における前記感光体の回転方向に沿った前記帯電ローラとの対向位置の下流側である下流側空間から前記感光体の回転方向に沿った前記帯電ローラとの対向位置の上流側である上流側空間に入り込むことを阻止するとともに前記上流側空間から前記下流側空間への気体の流出を許容するように前記ケース内に配置された気流阻止部材と、制御気体を供給する制御気体供給部と、前記制御気体供給部と前記上流側空間とを連通するように前記ケースに形成され、前記制御気体供給部から供給された制御気体を前記上流側空間内に前記感光体の長手方向に沿って略均等に流入させる流入口と、前記下流側空間に連通して前記ケースに形成された排気口と、を有することを特徴とする。
【００１９】
したがって、制御気体供給部から供給された制御気体が流入口からケース内の上流側空間に流入し、その制御気体の一部は帯電ローラの表層気流となって帯電ローラの回転方向に沿って流れ、帯電ローラと感光体とが近接する領域である放電領域に導入される。これにより、上流側空間内の放電領域における放電生成物等の発生が抑制され、感光体の劣化が防止されるとともに感光体の耐久性がアップする。
【００２０】
また、帯電ローラの表層気流は帯電ローラの長手方向の全域で同じように生じるので、感光体の長手方向の全域で放電生成物等の発生が抑制される。
【００２１】
上流側空間内の放電領域まで導入された制御気体の一部は、感光体と帯電ローラとの間の隙間部分を通り、ケース内の下流側空間内の放電領域に導入される。これにより、下流側空間内の放電領域でも放電生成物等の発生が抑制され、より一層の感光体の劣化防止、耐久性アップを図れる。
【００２２】
感光体と帯電ローラとの間の隙間部分を通過した下流側空間内の制御気体の一部は、帯電ローラの表層気流となって帯電ローラの回転方向に沿って流れるが、この表層気流は再び上流側空間内に入り込むことが気流阻止部材により阻止される。このため、放電領域を通過した後に帯電ローラの表層気流となって下流側空間内を流れる制御気体中に放電生成物等が含まれている場合であっても、その放電生成物等が上流側空間内に入り込むことが防止される。
【００２３】
上流側空間内の放電領域まで導入された制御気体の一部であって感光体と帯電ローラとの間の隙間部分に入り込まなかった制御気体は、その放電領域から戻るとともに上流側空間内で旋回した後に、上流側空間内に流入した制御気体の一部であって放電領域に導入されなかった低湿空気と合流し、気流阻止部材の箇所から下流側空間内に流出する。
【００２４】
上流側空間内に流入した制御気体は、その全てが順次下流側空間内へ流れ、さらに、排気口から下流側空間外へ排気されるので、上流側空間及び下流側空間内への放電生成物等の残留が生じない。
【００２５】
下流側空間内へ流入した制御気体は、排気口からケース外に排気される。下流側空間からの制御気体の排気は排気口から集中的に行われるので、排気される制御気体内に含まれる放電生成物等を除去する処理を行い、制御気体を循環させて再使用することが容易になる。
【００２６】
請求項３記載の発明は、帯電された感光体の外周面を露光して静電潜像を形成し、静電潜像が形成された前記感光体にトナーを供給してトナー像を形成し、形成されたトナー像を記録媒体に転写する電子写真方式の画像形成装置において、前記感光体の外周面に接触して配置されて前記感光体に対して連れ回り方向に回転する接触帯電ローラと、前記感光体の外周面における前記接触帯電ローラの接触位置を含む前記感光体の回転方向に沿った前記接触帯電ローラとの接触位置の上流側と下流側及び前記接触帯電ローラの全体を囲むケースと、前記接触帯電ローラの表層気流が前記ケース内における前記感光体の回転方向に沿った前記帯電ローラとの接触位置の下流側である下流側空間から前記感光体の回転方向に沿った前記帯電ローラとの接触位置の上流側である上流側空間に入り込むことを阻止するとともに前記上流側空間から前記下流側空間への気体の流出を許容するように前記ケース内に配置された気流阻止部材と、制御気体を供給する制御気体供給部と、前記制御気体供給部と前記上流側空間とを連通するように前記ケースに形成され、前記制御気体供給部から供給された制御気体を前記上流側空間内に前記感光体の長手方向に沿って略均等に流入させる流入口と、前記下流側空間に連通して前記ケースに形成された排気口と、外部からの気体が前記下流側空間に入り込むことを許容する隙間をもって前記ケースの下端側縁部と前記感光体の外周面との間に形成された第２流入口と、を有することを特徴とする。
【００２７】
本発明及び以下の各発明において、「外部からの気体」とは、周囲の空気を含む概念であり、さらに、制御気体供給部から供給される制御気体も含む概念である。
【００２８】
したがって、制御気体供給部から供給された制御気体が流入口からケース内の上流側空間に流入し、その制御気体の一部は接触帯電ローラの表層気流となって接触帯電ローラの回転方向に沿って流れ、接触帯電ローラと感光体とが近接する領域である放電領域に導入される。これにより、上流側空間内の放電領域における放電生成物等の発生が抑制され、感光体の劣化が防止されるとともに感光体の耐久性がアップする。
【００２９】
また、接触帯電ローラの表層気流は接触帯電ローラの長手方向の全域で同じように生じるので、感光体の長手方向の全域で放電生成物等の発生が抑制される。
【００３０】
上流側空間内の放電領域まで導入された制御気体は、その放電領域から戻るとともに上流側空間内で旋回した後に、上流側空間内に流入した制御気体の一部であって放電領域に導入されなかった低湿空気と合流し、気流阻止部材の箇所から下流側空間内に流出する。
【００３１】
一方、下流側空間内には第２流入口から外部からの気体が流入し、この気体は下流側空間内における放電領域に導入され、その後にその気体の一部は接触帯電ローラの表層気流となって下流側空間内で接触帯電ローラの回転方向に沿って流れる。しかし、この表層気流は気流阻止部材により上流側空間内に入り込むことが阻止される。このため、下流側空間内の放電領域内に導入された後に帯電ローラの表層気流となって下流側空間内を流れる気体内に含まれる放電生成物等が上流側空間内に入り込むことが防止される。
【００３２】
下流側空間内に流入した制御気体、及び、第２流入口から下流側空間内に流入した外部からの気体は、排気口からケース外に排気される。
【００３３】
なお、第２流入口から下流側空間に流入する外部からの気体として、制御気体供給部から供給される制御気体を用いることもできる。この場合には、制御気体供給部からの制御気体を第２流入口に導く流路を形成する。これにより、下流側空間内の放電領域における放電生成物等の発生を上流側空間内の放電領域と同じように抑制することができる。
【００３４】
請求項４記載の発明は、請求項１ないし３のいずれか一記載の電子写真方式の画像形成装置において、前記ケースにおける前記感光体の回転方向に沿った上流側に対向する縁部に前記感光体の外周面に摺接する可撓性接触部材が設けられていることを特徴とする。
【００３５】
したがって、感光体の表層気流を可撓性接触部材により感光体の外周面から剥がすことでき、感光体の表層気流がケース内に入り込むことを防止でき、ケース内への制御気体の充填性を高めることができ、放電領域における放電生成物等の発生を抑制する性能を高めることができる。
【００３６】
請求項５記載の発明は、請求項１ないし４のいずれか一記載の電子写真方式の画像形成装置において、前記気流阻止部材として、前記帯電ローラに平行に近接配置されてこの帯電ローラに対してカウンタ回転するカウンタローラが設けられていることを特徴とする。
【００３７】
したがって、カウンタローラの表層気流が帯電ローラの表層気流に対して衝突し、この衝突により帯電ローラの表層気流がケース内の空間又は上流側空間に入り込むことが阻止される。
【００３８】
請求項６記載の発明は、請求項５記載の電子写真方式の画像形成装置において、前記カウンタローラの外周面は租面加工されていることを特徴とする。
【００３９】
したがって、租面加工によりカウンタローラの表層気流の量が増えるので、帯電ローラの表層気流がケース内の空間又は上流側空間に入り込むことがより効果的に阻止される。
【００４０】
請求項７記載の発明は、請求項５又は６記載の電子写真方式の画像形成装置において、前記カウンタローラの直径は前記帯電ローラの直径より小径であることを特徴とする。
【００４１】
したがって、カウンタローラの表層気流が帯電ローラの表層気流に対して鋭角的に衝突するので、カウンタローラの表層気流が帯電ローラの表層気流に食い込む状態となり、帯電ローラの表層気流がケース内の空間又は上流側空間に入り込むことがより効果的に阻止される。
【００４２】
請求項８記載の発明は、請求項５記載の電子写真方式の画像形成装置において、前記カウンタローラの外周面にブラシが植毛されていることを特徴とする。
【００４３】
したがって、ブラシの植毛によりカウンタローラの表層気流の量が増えるので、帯電ローラの表層気流がケース内の空間又は上流側空間に入り込むことがより効果的に阻止される。
【００４４】
請求項９記載の発明は、請求項２ないし４のいずれか一記載の電子写真方式の画像形成装置において、前記気流阻止部材として、一端が前記帯電ローラの外周面に近接対向して他端が前記排気口に対向する板状障壁が設けられていることを特徴とする。
【００４５】
したがって、帯電ローラの表層気流は板状障壁の前後での圧力変動に伴う渦発生によって帯電ローラから剥離され、負圧状態となっている排気口に向けて板状障壁に沿って吸引され、帯電ローラの表層気流が上流側空間に入り込むことが阻止される。
【００４６】
なお、この板状障壁は、平行に複数設けることが好適である。複数の板状障壁を平行に設けることにより、帯電ローラの表層気流が上流側空間に入り込むことを阻止する効果が高くなる。
【００４７】
請求項１０記載の発明は、帯電された感光体の外周面を露光して静電潜像を形成し、静電潜像が形成された前記感光体にトナーを供給してトナー像を形成し、形成されたトナー像を記録媒体に転写する電子写真方式の画像形成装置において、前記感光体の外周面に非接触に対向配置されて前記感光体に対して連れ回り方向に回転する帯電ローラと、前記感光体の外周面に沿った表層気流が流れる所定寸法の隙間をもって前記帯電ローラの外周面を覆い、前記感光体と前記帯電ローラとの対向位置よりも前記感光体の回転方向に沿った上流側近傍に位置して前記感光体から離反する向きに延出した排気流路が形成されたケースと、制御気体を供給する制御気体供給部と、前記制御気体供給部から供給される制御気体を前記感光体の外周面に沿った表層気流として前記感光体と前記帯電ローラとの対向位置に向けて案内するガイド部と、を有することを特徴とする。
【００４８】
したがって、制御気体供給部から供給された制御気体がガイド部に案内されて感光体の表層気流となって感光体と帯電ローラとの対向位置に向けて流れ、さらに、この表層気流の一部は、感光体と帯電ローラとの間の隙間部分を通過して流れる。これにより、帯電ローラと感光体とが対向する位置に対する感光体の回転方向に沿った上流側と下流側との放電領域に対する制御気体の導入が行われ、放電領域における放電生成物等の発生が抑制され、感光体の劣化が防止されるとともに感光体の耐久性がアップする。
【００４９】
また、感光体の表層気流は、感光体の長手方向の全域で同じように発生するので、感光体の長手方向の全域で放電生成物等の発生が抑制される。
【００５０】
感光体と帯電ローラとの間の隙間部分を通過した制御気体は、その後、帯電ローラの表層気流となって帯電ローラの回転方向に沿ってケース内を流れる。帯電ローラの表層気流と感光体の表層気流とは、帯電ローラと感光体との対向位置の上流側近傍に形成されている排気流路の入口付近で衝突して圧力が上昇し、吹き出し気流となって排気流路から排気される。このため、放電領域を通過することにより放電生成物等を含んだ制御気体の排気をスムーズに行える。
【００５１】
ケースは、帯電ローラの表層気流が流れる隙間をもって帯電ローラを覆う大きさでよく、ケースの小型化を図ることができる。
【００５２】
請求項１１記載の発明は、帯電された感光体の外周面を露光して静電潜像を形成し、静電潜像が形成された前記感光体にトナーを供給してトナー像を形成し、形成されたトナー像を記録媒体に転写する電子写真方式の画像形成装置において、前記感光体の外周面に接触して配置されて前記感光体に対して連れ回り方向に回転する接触帯電ローラと、前記感光体の外周面に沿った表層気流が流れる所定寸法の隙間をもって前記接触帯電ローラの外周面を覆い、前記感光体と前記接触帯電ローラとの接触位置よりも前記感光体の回転方向に沿った上流側近傍に位置して前記感光体から離反する向きに延出した排気流路が形成されたケースと、制御気体を供給する制御気体供給部と、前記制御気体供給部から供給される制御気体を前記感光体の外周面に沿った表層気流として前記感光体と前記接触帯電ローラとの接触位置に向けて案内するガイド部と、外部からの気体が前記感光体と前記接触帯電ローラとの接触位置よりも前記感光体の回転方向に沿った下流側に入り込むことを許容する隙間をもって前記ケースの下端側縁部と前記感光体の外周面との間に形成された第２流入口と、を有することを特徴とする。
【００５３】
したがって、制御気体供給部から供給された制御気体がガイド部に案内されて感光体の表層気流となって流れ、感光体と接触帯電ローラとの接触位置よりも感光体の回転方向に沿った上流側の放電領域に導入され、その上流側の放電領域における放電生成物等の発生が抑制され、感光体の劣化が防止されるとともに感光体の耐久性がアップする。
【００５４】
また、感光体の表層気流は、感光体の長手方向の全域で同じように発生するので、感光体の長手方向の全域で放電生成物等の発生が抑制される。
【００５５】
一方、感光体と接触帯電ローラとの接触位置よりも感光体の回転方向に沿った下流側の放電領域に対しては、第２流入口から外部からの気体が流入し、この気体は下流側の放電領域に流入した後に接触帯電ローラの表層気流となって接触帯電ローラの回転方向に沿ってケース内を流れる。接触帯電ローラの表層気流と感光体の表層気流とは、接触帯電ローラと感光体との接触位置の上流側近傍に形成されている排気流路の入口付近で衝突して圧力が上昇し、吹き出し気流となって排気流路から排気される。このため、放電領域を通過することにより放電生成物等を含んだ制御気体及び外部からの気体の排気をスムーズに行える。
【００５６】
なお、第２流入口から感光体の回転方向に沿った下流側の放電領域に流入する外部からの気体として、制御気体供給部から供給される制御気体を用いることもできる。この場合には、制御気体供給部からの制御気体を第２流入口に導く流路を形成する。これにより、下流側の放電領域においても放電生成物等の発生を上流側の放電領域と同じように抑制することができ、より一層の感光体の劣化防止、耐久性アップを図れる。
【００５７】
ケースは、接触帯電ローラの表層気流が流れる隙間をもって接触帯電ローラを覆う大きさでよく、ケースの小型化を図ることができる。
【００５８】
請求項１２記載の発明は、請求項１０又は１１記載の電子写真方式の画像形成装置において、前記感光体の外周面に向けて供給される制御気体に前記感光体の長手方向の全域に渡って旋回流を発生させる旋回流発生手段が設けられていることを特徴とする。
【００５９】
したがって、制御気体に旋回を生じさせた後にその制御気体を感光体の表面に向けて供給することにより、感光体表面の表層気流を制御気体に置換する効果が高くなる。
【００６０】
請求項１３記載の発明は、請求項１２記載の電子写真方式の画像形成装置において、前記旋回流発生手段は、前記感光体の長手方向と平行に配設されたダクトとこのダクト内に配設された羽根車とを有することを特徴とする。
【００６１】
したがって、羽根車の内部空間を長手方向に沿って制御気体が流れ、制御気体が羽根車により送風されるので、感光体の長手方向に沿った全域に対する制御気体の供給を安定して行える。
【００６２】
請求項１４記載の発明は、請求項１０ないし１３のいずれか一記載の電子写真方式の画像形成装置において、前記ガイド部内に、前記感光体の外周面に対向する除電手段が設けられていることを特徴とする。
【００６３】
したがって、感光体の表層気流の妨げになることなく除電手段を設けることができる。
【００６４】
請求項１５記載の発明は、請求項３又は１１記載の電子写真方式の画像形成装置において、前記第２流入口に位置して、前記感光体に対してカウンタ回転する第２カウンタローラが設けられていることを特徴とする。
【００６５】
したがって、第２カウンタローラの回転により、第２流入口からの外部からの気体の導入が促進される。また、第２カウンタローラの回転により感光体の表層気流が剥離され、感光体表面に残留した放電生成物等の除去が速やかに行われる。
【００６６】
【発明の実施の形態】
本発明の第１の実施の形態を図１及び図２に基づいて説明する。図１は電子写真方式の画像形成装置の概略構造を示す縦断正面図、図２はその一部を拡大して示す縦断正面図である。
【００６７】
本実施の形態の画像形成装置は図１に示すように本体ケース１が設けられ、この本体ケース１内には、給紙部２から排紙トレイ３に至る用紙搬送路４が形成され、この用紙搬送路４上に、レジストローラ５、感光体６、転写ベルト７、定着器８等が配置されている。さらに、本体ケース１内には、制御気体である低湿空気を生成する制御気体供給部９、制御気体供給部９で生成された低湿空気を送風する送風ファン９ａ、感光体６の外周面を露光して静電潜像の書込みを行う光書込み手段１０等が設けられている。
【００６８】
低湿空気を生成する制御気体供給部９の構成としては、乾燥剤を用いて除湿する構成、固体分子電解質膜を用いて水分を水素イオンと酸素とに解離させることにより除湿する構成等、様々な構成が許容される。
【００６９】
感光体６の周囲には、感光体６の表面を一様に帯電する帯電ローラ１１、光書込み手段１０による露光により静電潜像が形成された感光体６の表面にトナーを供給してその静電潜像をトナー像として可視化する現像器１２、可視化されたトナー像が用紙搬送路４を搬送される記録媒体に転写された後に感光体６の表面に残留したトナーを除去するクリーニング器１３等が配置されている。
【００７０】
帯電ローラ１１は、感光体６の長手方向の長さ寸法と略同じ長さ寸法に形成され、感光体６に対して平行に配置されている。さらに、帯電ローラ１１は、感光体６の外周面に非接触に配置され、その回転方向は矢印（図２参照）で示すように、感光体６の回転方向に対して連れ回りする方向に設定されている。この帯電ローラ１１の近傍には、気流阻止部材であるカウンタローラ１４とケース１５とが設けられている。
【００７１】
ケース１５は、感光体６の外周面における帯電ローラ１１との対向位置、及び、感光体６の外周面における帯電ローラ１１との対向位置よりも感光体６の回転方向に沿った上流側、及び、帯電ローラ１１の外周面の一部、及び、カウンタローラ１４の外周面の一部を囲むように形成されている。したがって、帯電ローラ１１の外周面の一部とカウンタローラ１４の外周面の一部は、ケース１５外に露出して配置されている。ケース１５の上部には流入口１６が形成され、制御気体供給部９で生成された低湿空気は、供給パイプ９ｂ内を送風され、流入口１６からケース１５内に流入する。なお、ケース１５は、感光体６の長手方向の全域に対向する幅寸法をもって形成され、流入口１６はそのケース１５の横幅方向に沿って複数個形成され、又は、横幅方向に沿ってスリット状に形成されている。これにより、制御気体供給部９から供給されてケース１５内に流入する低湿空気は、感光体６の長手方向に沿って略均等に流入する。
【００７２】
ケース１５における感光体６の回転方向に沿った上流側に対向する縁部には、可撓性接触部材であるスクレーパ１７が取付けられている。このスクレーパ１７は、ポリウレタン、ゴム、樹脂等の絶縁性を有する可撓性を有する部材により形成され、その先端部が感光体６の外周面に摺接するように配置されている。スクレーパ１７は、その先端部を感光体６の外周面に摺接させることにより、感光体６の表層気流を感光体６の表面部分から剥がし、その表層気流がケース１５内に入り込むことを防止する。これにより、ケース１５内への低湿空気の充填率を高めることができる。
【００７３】
カウンタローラ１４は、帯電ローラ１１と略同じ長さ寸法を有し、帯電ローラ１１に対して平行に配置されている。さらに、カウンタローラ１４は、帯電ローラ１１に対して僅かな隙間をもって非接触に近接配置され、矢印（図２参照）で示すように帯電ローラ１１に対してカウンタ方向に回転駆動される。カウンタローラ１４の直径は帯電ローラ１１の直径より小径に設定されている。
【００７４】
ケース１５におけるカウンタローラ１４に対向する縁部には、ケース１５内に流入した低湿空気の洩れだしを防止するためのシール１８が取付けられ、このシール１８の自由端側はカウンタローラ１４の外周面に摺接されている。
【００７５】
このような構成において、画像形成時には感光体６や帯電ローラ１１が矢印方向へ回転駆動されるとともに帯電ローラ１１と感光体６との間で放電が行われ、この放電によりオゾンやＮＯｘ等の放電生成物が発生する。ＮＯｘが発生した場合、何らの対策を講じないとすれば、そのＮＯｘは水分の影響により硝酸アンモニウムへ化学変化し、その硝酸アンモニウムが感光体６の表面に付着して画像流れ等が生じるようになり、感光体６の劣化がすすむ。
【００７６】
そこで、本実施の形態では、制御気体供給部９で生成された低湿空気を画像形成時にケース１５内に供給している。低湿空気が流入口１６からケース１５内に流入すると、その低湿空気は二点鎖線で示すように流れる。なお、ケース１５内への低湿空気の流入は、感光体６の長手方向に沿って略均等に行われる。
【００７７】
まず、ケース１５内に流入した低湿空気の一部は、帯電ローラ１１の表層気流となって帯電ローラ１１の回転方向に沿って流れ、帯電ローラ１１と感光体６とが近接する領域である放電領域に導入される。これにより、ケース１５内の放電領域における放電生成物であるＮＯｘから硝酸アンモニウムへの化学変化を抑制でき、硝酸アンモニウムが原因となる感光体６の劣化が防止されるとともに感光体６の耐久性がアップする。
【００７８】
なお、ケース１５内に流入した低湿空気による帯電ローラ１１の表層気流は、帯電ローラ１１の長手方向の全域で同じように発生するので、感光体６の長手方向の全域においてＮＯｘから硝酸アンモニウムへの化学変化を抑制できる。
【００７９】
ケース１５内の放電領域まで導入された低湿空気の一部は、感光体６と帯電ローラ１１との間の隙間部分を通り、感光体６の外周面における帯電ローラ１１と感光体６との対向位置より感光体６の回転方向に沿った下流側の放電領域、即ち、ケース１５外に位置する放電領域に導入される。これにより、ケース１５外の放電領域でもＮＯｘから硝酸アンモニウムへの化学変化が抑制され、より一層の感光体６の劣化防止、耐久性アップを図れる。
【００８０】
感光体６と帯電ローラ１１との間の隙間部分を通過した低湿空気の一部は、帯電ローラ１１の表層気流となって帯電ローラ１１の回転方向に沿って流れ、他の一部は感光体６の表層気流となって感光体６の回転方向に沿って流れる。帯電ローラ１１の表層気流となって流れる低湿空気は、カウンタローラ１４との対向位置まで流れた後、カウンタローラ１４の表層気流と衝突して押し戻され、再びケース１５内に入り込むことが阻止される。この衝突に際して、カウンタローラ１４の直径が帯電ローラ１１の直径より小径であるので、カウンタローラ１４の表層気流が帯電ローラ１１の表層気流に対して鋭角的に衝突し、カウンタローラ１４の表層気流が帯電ローラ１１の表層気流に食い込む状態となり、帯電ローラ１１の表層気流がケース１５内の空間に入り込むことがより効果的に阻止される。このため、放電領域を通過した後に帯電ローラ１１の表層気流となってケース１５外を流れる低湿空気中に含まれる放電生成物等が、ケース１５内に入り込むことが防止される。
【００８１】
放電領域まで導入された低湿空気の一部であって感光体６と帯電ローラ１１との間の隙間部分に入り込まなかった低湿空気の一部は、その放電領域から戻るとともにケース１５内で旋回した後、ケース１５内に流入した低湿空気の一部であってケース１５内の放電領域に導入されなかった低湿空気と合流し、カウンタローラ１４の表層気流となってケース１５外に排気される。
【００８２】
このため、ケース１５内に流入した低湿空気は、その全てが順次ケース１５外に排気されるので、ケース１５内への放電生成物や硝酸アンモニウム等の残留が生じない。
【００８３】
なお、本実施の形態では、制御気体として低湿空気を例に挙げて説明したが、感光体６を劣化させる原因となるＮＯｘやオゾン等の放電生成物の発生を抑えることができるように制御された不活性ガス等の各種気体を制御気体として用いることができる。
【００８４】
また、本実施の形態では、ケース１５内への低湿空気の供給を送風ファン９ａを用いて行う場合を例に挙げて説明したが、帯電ローラ１１の表層気流がケース１５外に排気されてケース１５内が負圧になることを利用して低湿空気の供給を行うようにしてもよく、その場合には送風ファン９ａが不要となる。
【００８５】
また、本実施の形態では、表面が平滑面であるカウンタローラ１４を例に挙げて説明したが、このカウンタローラ１４に代えて、図３に示すように外周面を祖面加工したカウンタローラ１４ａ、又は、図４に示すように外周面にブラシ１９を植毛したカウンタローラ１４ｂを用いてもよい。租面加工の方法としては、切削、転造、サンドブラスト、エッチング等が挙げられる。
【００８６】
外周面を租面加工したカウンタローラ１４ａや外周面にブラシ１９を植毛したカウンタローラ１４ｂでは、カウンタローラ１４に比べて表層気流の量を増やすことができ、帯電ローラ１１の表層気流がケース１５内の空間に入り込むことをより効果的に阻止できる。
【００８７】
つぎに、本発明の第２の実施の形態を図５及び図６に基づいて説明する。なお、先行して説明した他の実施の形態と同じ部分は同じ符号で示し、説明も省略する（以下の各実施の形態でも同じ）。
【００８８】
本実施の形態は、感光体６に対して非接触式の帯電ローラ１１、帯電ローラ１１に近接配置されたカウンタローラ１４を有する点、さらに、低湿空気を供給する制御気体供給部９を有する点は第１の実施の形態と同じである。
【００８９】
本実施の形態が第１の実施の形態と異なる点は、低湿空気が供給されるケース２０の形状である。
【００９０】
このケース２０は、感光体６の外周面における帯電ローラ１１との対向位置、及び、感光体６の外周面における帯電ローラ１１との対向位置よりも感光体６の回転方向に沿った上流側と下流側、及び、帯電ローラ１１とカウンタローラ１４との全体を囲むように形成されている。ケース２０内の空間は、帯電ローラ１１とカウンタローラ１４とシール１８とシール１８が取付けられたシール取付板２１とにより、上流側空間２２と下流側空間２３とに仕切られている。上流側空間２２は、感光体６の回転方向に沿った帯電ローラ１１との対向位置より上流側の空間であり、下流側空間２３は、感光体６の回転方向に沿った帯電ローラ１１との対向位置より下流側の空間である。
【００９１】
ケース２０の上部には流入口１６と排気口２４とが形成されている。流入口１６は上流側空間２２に連通して形成され、排気口２４は下流側空間２３に連通して形成されている。この排気口２４は、後述する吸引ポンプの駆動による吸引力の作用により画像形成時には常時負圧状態となっている。
【００９２】
図６は、ケース２０に形成された流入口１６と排気口２４との配置状態、及び、制御気体供給部９から供給された低湿空気を感光体６の長手方向に沿って略均等に流入させる構造について説明する斜視図である。ケース２０には、感光体６の長手方向に沿って複数の流入口１６と複数の排気口２４とが形成されている。
【００９３】
ケース２０の上部には、供給側ダクト２５と排気側ダクト２６とが形成されたダクトケース２７が固定されている。供給側ダクト２５と排気側ダクト２６とはそれぞれ感光体６に対して平行に形成され、供給側ダクト２５が各流入口１６に連通され、排気側ダクト２６が各排気口２４に連通されている。
【００９４】
ダクトケース２７の一端側には、供給側ダクト２５に連通する供給側ジョイント２８と排気側ダクト２６に連通する排気側ジョイント２９とが設けられている。これらのジョイント２８、２９は、ダクトケース２７を固定したケース２０を画像形成装置の本体ケース１内にセットしたときに、本体ケース１内に設けられている供給側本体ジョイント３０ａと排気側本体ジョイント３０ｂとに接続される。
【００９５】
本実施の形態は、図１で説明した送風ファン９ａを使用せず、排気側に吸引ポンプ（図示せず）を設けた構造であり、流入口１６は全て同じ開口サイズに形成され、排気口２４は吸引ポンプの吸引力がより大きく作用する排気側ジョイント２９に向かうにつれて開口サイズが次第に小さくなるように形成されている。これにより、各排気口２４から吸引される低湿空気の量が略均等になる。流入口１６からの低湿空気の供給はケース２０内の負圧により行われるので、各流入口１６の開口サイズを同じにしても、各流入口１６からの低湿空気の流入は略均等に行われる。
【００９６】
このような構成において、制御気体供給部９で生成された低湿空気が供給側ダクト２５内を通って流入口１６から上流側空間２２内に流入し、その低湿空気は二点鎖線で示すように流れる。
【００９７】
まず、上流側空間２２内に流入した低湿空気の一部は、帯電ローラ１１の表層気流となって帯電ローラ１１の回転方向に沿って流れ、帯電ローラ１１と感光体６とが近接する領域である放電領域に導入される。これにより、上流側空間２２内の放電領域における放電生成物であるＮＯｘから硝酸アンモニウムへの化学変化を抑制でき、硝酸アンモニウムが原因となる感光体６の劣化が防止されるとともに感光体６の耐久性がアップする。
【００９８】
なお、上流側空間２２内に低湿空気を流入させた場合における帯電ローラ１１の表層気流は、帯電ローラ１１の長手方向の全域で同じように発生するので、感光体６の長手方向の全域においてＮＯｘから硝酸アンモニウムへの化学変化を抑制できる。
【００９９】
上流側空間２２内の放電領域まで導入された低湿空気の一部は、感光体６と帯電ローラ１１との間の隙間部分を通り、ケース２０内の下流側空間２３内の放電領域に導入される。これにより、下流側空間２３内の放電領域でもＮＯｘから硝酸アンモニウムへの化学変化が抑制され、より一層の感光体６の劣化防止、耐久性アップを図れる。
【０１００】
感光体６と帯電ローラ１１との間の隙間部分を通過して下流側空間２３内の放電領域に導入された低湿空気の一部は、帯電ローラ１１の表層気流となって帯電ローラ１１の回転方向に沿って流れ、他の一部は感光体６の表層気流となって感光体６の回転方向に沿って流れ、ケース２０の下端側縁部と感光体６の外周面との間の隙間部３１から下流側空間２３外へ流れ出る。なお、この隙間部３１からは、周囲の空気が感光体６の表層気流と擦れ違うようにして下流側空間２３内に流入する。
【０１０１】
下流側空間２３内において帯電ローラ１１の表層気流となって流れる低湿空気は、カウンタローラ１４との対向位置まで流れた後、カウンタローラ１４の表層気流と衝突して押し戻され、再び上流側空間２２に入り込むことが阻止される。このため、放電領域を通過した後に帯電ローラ１１の表層気流となって下流側空間２３内を流れる低湿空気中に含まれる放電生成物等が、上流側空間２２内に入り込むことが防止される。
【０１０２】
上流側空間２２内の放電領域まで導入された低湿空気の一部であって感光体６帯電ローラ１１との隙間部分に入り込まなかった低湿空気は、その放電領域から戻るとともに上流側空間２２内で旋回した後、上流側空間２２内に流入した低湿空気の一部であって上流側空間２２内の放電領域に導入されなかった低湿空気と合流し、カウンタローラ１４の表層気流となって下流側空間２３内へ流出する。
【０１０３】
そして、下流側空間２３内に流入した３系統の気体、即ち、帯電ローラ１１と感光体６との隙間部分を通過した後に帯電ローラ１１の表層気流となって流れた低湿空気（第１系統の気体）、カウンタローラ１４の表層気流となって上流側空間２２から流入した低湿空気（第２系統の気体）、隙間部３１を通ってケース２０の外部から入り込んだ空気（第３系統の気体）は、吸引ポンプの駆動により排気口２４から排気される。
【０１０４】
このようにして、上流側空間２２内に流入した低湿空気は、その全てが順次下流側空間２３内へ流れ、さらに、排気口２４から下流側空間２３外へ排気されるので、上流側空間２２及び下流側空間２３内への放電生成物や硝酸アンモニウム等の残留が生じない。
【０１０５】
つぎに、本発明の第３の実施の形態を図７に基づいて説明する。本実施の形態の基本的構造は第２の実施の形態（図５参照）と同じであり、本実施の形態が第２の実施の形態と異なる点は、気流阻止部材としてカウンタローラ１４に代えて複数の板状障壁３２を設けた点である。
【０１０６】
板状障壁３２は、一端を帯電ローラ１１の外周面に近接対向させ、他端を排気口２４に対向させて配置されている。隣合う板状障壁３２の間には流路３３が形成されている。
【０１０７】
このような構成において、本実施の形態においても第２の実施の形態と同じ作用を奏し、低湿空気を放電領域に効率良く導入することによってＮＯｘから硝酸アンモニウムへの化学変化を抑制でき、硝酸アンモニウムが原因となる感光体６の劣化を防止でき、感光体６の耐久性のアップを図れる。
【０１０８】
また、板状障壁３２を設けることにより、帯電ローラ１１の表層気流は板状障壁３２の前後での圧力変動に伴う渦発生によって帯電ローラ１１から剥離され、吸引ポンプの駆動により負圧状態となっている排気口２４に向けて板状障壁３２に沿って吸引される。これにより、帯電ローラ１１の表層気流が上流側空間２２に入り込むことが阻止される。
【０１０９】
つぎに、本発明の第４の実施の形態を図８に基づいて説明する。本実施の形態の基本的構造は第２の実施の形態（図５参照）と同じであり、本実施の形態は、この第２の実施の形態に対し、上流側空間２２内に位置するクリーニングローラ３４、隙間部３１に臨んで位置する第２カウンタローラ３５とシール３６とを追加したものである。
【０１１０】
クリーニングローラ３４は、帯電ローラ１１の外周面に接触するブラシを有し、帯電ローラ１１のクリーニングを行う。
【０１１１】
第２カウンタローラ３５は、感光体６の外周面に近接して配置され、感光体６に対してカウンタ方向に回転駆動される。
【０１１２】
シール３６は一端側をケース２０に固定され、自由端側を第２カウンタローラ３５の外周面に摺接させており、第２カウンタローラ３５の表層気流が第２カウンタローラ３５の回転方向に沿ってそのまま下流側空間２３外に排気されることを阻止している。
【０１１３】
このような構成において、上述した第２の実施の形態で説明したように、上流側空間２２内に流入した低湿空気は、その全てが順次下流側空間２３内へ流れ、さらに、排気口２４から下流側空間２３外へ排気されるので、上流側空間２２及び下流側空間２３内への放電生成物等の残留が生じない。このため、上流側空間２２内にクリーニングローラ３４を設置して帯電ローラ１１のクリーニングを行っても、そのクリーニング時に上流側空間２２内に残留している放電生成物が帯電ローラ１１の外周面に押し付けられて固着化するということが起こらず、帯電ローラ１１の帯電性能を長期に渡って良好に維持することができる。
【０１１４】
また、第２カウンタローラ３５の回転により、感光体６の表層気流が剥離され、感光体６の表面に残留した放電生成物等の除去を速やかに行える。
【０１１５】
つぎに、本発明の第５の実施の形態を図９に基づいて説明する。本実施の形態の基本的構造は第２の実施の形態（図５参照）と同じであり、本実施の形態が第２の実施の形態と異なる点は、第２の実施の形態では感光体６に対して非接触に対向する帯電ローラ１１を用いているのに対し、本実施の形態では、接触帯電ローラ３７を用いている点である。また、第２の実施の形態で説明した隙間部３１は、本実施の形態では第２流入口３８として機能する。
【０１１６】
接触帯電ローラ３７は、感光体６の長手方向の長さ寸法と略同じ長さ寸法に形成され、感光体６と平行に配置されるとともに感光体６の外周面に接触して配置されている。接触帯電ローラ３７の回転方向は、矢印で示すように感光体６の回転方向に対して連れ回りする方向である。
【０１１７】
このような構成において、制御気体供給部９で生成された低湿空気が流入口１６から上流側空間２２内に流入し、その低湿空気は二点鎖線で示すように流れる。
【０１１８】
まず、上流側空間２２内に流入した低湿空気の一部は、接触帯電ローラ３７の表層気流となって接触帯電ローラ３７の回転方向に沿って流れ、接触帯電ローラ３７と感光体６とが近接する領域である放電領域に導入される。これにより、上流側空間２２内の放電領域における放電生成物であるＮＯｘから硝酸アンモニウムへの化学変化を抑制でき、硝酸アンモニウムが原因となる感光体６の劣化が防止されるとともに感光体６の耐久性がアップする。
【０１１９】
なお、上流側空間２２内に低湿空気を流入させた場合における接触帯電ローラ３７の表層気流は、接触帯電ローラ３７の長手方向の全域で同じように発生するので、感光体６の長手方向の全域においてＮＯｘから硝酸アンモニウムへの化学変化を抑制できる。
【０１２０】
上流側空間２２内の放電領域まで導入された低湿空気は、その放電領域から戻るとともに上流側空間２２内で旋回した後に、上流側空間２２内に流入した低湿空気の一部であって上流側空間２２内の放電領域に導入されなかった低湿空気と合流し、カウンタローラ１４の表層気流となって下流側空間２３内へ流出する。
【０１２１】
一方、排気口２４からの排気により下流側空間２３内が負圧になることにより、下流側空間２３内には第２流入口３８から周囲の空気が流入し、この空気は下流側空間２３内における放電領域に導入され、その後にその空気の一部は帯電ローラ１１の表層気流となって下流側空間２３内で帯電ローラ１１の回転方向に沿って流れる。しかし、この表層気流は、カウンタローラ１４との対向位置まで流れた後、カウンタローラ１４の表層気流と衝突して押し戻され、上流側空間２２に入り込むことが阻止される。このため、下流側空間２３内の放電領域からの放電生成物等の除去を行えるとともにその放電生成物等が上流側空間２２内に入り込むことを防止できる。
【０１２２】
そして、下流側空間２３内に流入した２系統の気体、即ち、カウンタローラ１４の表層気流となって上流側空間２２から流入した低湿空気（第１系統の気体）、第２流入口３８から流入した周囲の空気（第２系統の気体）は、吸引ポンプの駆動により排気口２４から排気される。
【０１２３】
このようにして、上流側空間２２内に流入した低湿空気は、その全てが順次下流側空間２３内へ流れ、さらに、排気口２４から下流側空間２３外へ排気される。また、第２流入口３８から流入して下流側空間２３内の放電領域から放電生成物等を除去した空気も、排気口２４から下流側空間２３外へ排気される。このため、上流側空間２２及び下流側空間２３内への放電生成物等の残留が生じない。
【０１２４】
なお、本実施の形態では、第２流入口３８から流入させる外部からの気体として、周囲の空気を用いた場合を例に挙げて説明したが、制御気体供給部９で生成された低湿空気をこの第２流入口３８から流入させるようにしてもよい。この場合には、制御気体供給部９からの低湿空気を第２流入口３８に導く流路を形成する。第２流入口３８から流入させる外部からの気体として低湿空気を用いることにより、下流側空間２３内の放電領域におけるＮＯｘから硝酸アンモニウムへの価格変化を、上流側空間２２内の放電領域と同じように抑制することができる。
【０１２５】
つぎに、本発明の第６の実施の形態を図１０に基づいて説明する。本実施の形態の基本的構造は第５の実施の形態（図９参照）と同じであり、接触帯電ローラ３７を用いている。本実施の形態が第５の実施の形態と異なる点は、この第５の実施の形態に対し、上流側空間２２内に位置するクリーニングローラ３４、第２流入口３８に位置する第２カウンタローラ３５とシール３６とを追加した点である。
【０１２６】
クリーニングローラ３４は、接触帯電ローラ３７の外周面に接触するブラシを有し、接触帯電ローラ３７のクリーニングを行う。
【０１２７】
第２カウンタローラ３５は、感光体６の外周面に近接して配置され、感光体６に対してカウンタ方向に回転駆動される。
【０１２８】
シール３６は一端側をケース２０に固定され、自由端側を第２カウンタローラ３５の外周面に摺接させており、第２カウンタローラ３５の表層気流が第２カウンタローラ３５の回転方向に沿ってそのまま下流側空間２３外に排気されることを阻止している。
【０１２９】
このような構成において、上述した第５の実施の形態で説明したように、上流側空間２２内に流入した低湿空気は、その全てが順次下流側空間２３内へ流れ、さらに、排気口２４から下流側空間２３外へ排気される。また、第２流入口３８から流入して下流側空間２３内の放電領域から放電生成物等を除去した空気も、排気口２４から下流側空間２３外へ排気される。このため、上流側空間２２及び下流側空間２３内への放電生成物等の残留が生じない。
【０１３０】
このため、上流側空間２２内にクリーニングローラ３４を設置して接触帯電ローラ３７のクリーニングを行っても、そのクリーニング時に上流側空間２２内に残留している放電生成物が接触帯電ローラ３７の外周面に押し付けられて固着化するということが起こらず、接触帯電ローラ３７の帯電性能を長期に渡って良好に維持することができる。
【０１３１】
また、第２カウンタローラ３５の回転により、感光体６の表層気流が剥離され、感光体６の表面に残留した放電生成物等の除去を速やかに行える。
【０１３２】
つぎに、本発明の第７の実施の形態を図１１に基づいて説明する。本実施の形態の画像形成装置は、本体ケース１内に、感光体６、帯電ローラ１１、制御気体である低湿空気を生成する制御気体供給部９、光書込み手段１０等を有するという構成は、上述した第１ないし第４の各実施の形態と共通である。
【０１３３】
帯電ローラ１１は感光体６の外周面に近接して非接触に対向配置されており、この帯電ローラ１１は矢印で示すように、感光体６に対して連れ回りする方向に回転駆動される。
【０１３４】
帯電ローラ１１の近傍にはこの帯電ローラ１１を収納するケース３９が設けられており、このケース３９の内周面と帯電ローラ１１の外周面との間には、表層気流が流れる所定寸法の隙間４０が形成されている。さらに、ケース３９には、排気流路４１と、ダクト４２と、ガイド部４３と、第２流入口４４とが形成されている。
【０１３５】
排気流路４１は、感光体６と帯電ローラ１１との対向位置よりも感光体６の回転方向に沿った上流側近傍に位置し、感光体６から離反する向きに延出して形成されている。
【０１３６】
ダクト４２は、制御気体供給部９で生成された低湿空気が供給される箇所であり、このダクト４２は第２の実施の形態（図６参照）で説明した供給側ダクト２５と同じように、感光体６の長手方向の長さ寸法と略同じ長さ寸法に形成されるとともに感光体６に対して平行に配設されている。このダクト４２内には、このダクト４２内を低湿空気が流れることにより回転する羽根車４５が設けられている。そして、これらのダクト４２と羽根車４５とにより、このダクト４２内を通過した後に感光体６の外周面に向けて供給される低湿空気に旋回流を発生させる旋回流発生手段４６が形成されている。旋回流発生手段４６により旋回流となった低湿空気は、ケース３９の側面とクリーニングブレード４７及びブレード保持部材４８との間に形成された通路４９を通って感光体６の外周面に向けて送風される。
【０１３７】
ガイド部４３は、ダクト４２内を通して感光体６の外周面に向けて供給された低湿空気を感光体６の外周面に沿った表層気流として感光体６と帯電ローラ１１との対向位置に向けて案内する部材であり、感光体６の外周面に対して等間隔で対向する円弧形状に形成されている。
【０１３８】
ガイド部４３内には、感光体６の外周面に対向して除電手段である除電ランプ５０が取付けられている。この除電ランプ５０は、ガイド部４３の表面から突出しないように位置決めされている。
【０１３９】
第２流入口４４は、感光体６と帯電ローラ１１との対向位置よりも感光体６の回転方向に沿った下流側に位置して形成され、ケース３９の下端側縁部と感光体６の外周面との間の隙間として形成されている。ケース３９におけるこの第２流入口４４に臨む位置には、カウンタローラ５１とシール５２とが取付けられている。
【０１４０】
カウンタローラ５１は、感光体６の外周面に近接して配置され、感光体６に対してカウンタ方向に回転駆動される。
【０１４１】
シール５２は一端側をケース３９に固定され、自由端側をカウンタローラ５１の外周面に摺接させており、カウンタローラ５１の表層気流がカウンタローラ５１の回転方向に沿ってそのまま第２流入口４４から排気されることを阻止している。
【０１４２】
このような構成において、制御気体供給部９から供給された低湿空気が感光体６の表層気流となってガイド部４３に案内されて感光体６と帯電ローラ１１との対向位置に向けて流れる。さらに、この表層気流の一部は、感光体６と帯電ローラ１１との間の隙間部分を通過して流れる。これにより、帯電ローラ１１と感光体６とが対向する位置に対する感光体６の回転方向に沿った上流側と下流側との放電領域に対する低湿空気の導入を良好に行え、放電領域における放電生成物であるＮＯｘから硝酸アンモニウムへの化学変化を抑制でき、硝酸アンモニウムが原因となる感光体６の劣化が防止されるとともに感光体６の耐久性がアップする。
【０１４３】
なお、感光体６の表層気流は、感光体６の長手方向の全域で同じように発生するので、感光体６の長手方向の全域においてＮＯｘから硝酸アンモニウムへの化学変化を抑制できる。
【０１４４】
また、感光体６の表層気流となる低湿空気は、旋回流発生手段４６で旋回流とされた後に感光体６の表面に向けて供給されるので、この低湿空気は感光体６の表面に向けて勢い良く供給されることになり、感光体６の表層気流を低湿空気に置換する効果が高くなる。さらに、感光体６の外周面に低湿空気が供給される位置が、感光体６の表層気流がクリーニングブレード４７により剥がされた直後の位置であるので、感光体６の表層気流を低湿空気に置換する効果がより高くなる。
【０１４５】
感光体６と帯電ローラ１１との間の隙間部分を通過した低湿気体は、その後、帯電ローラ１１の表層気流となって帯電ローラ１１の回転方向に沿ってケース３９内の隙間４０を流れる。
【０１４６】
帯電ローラ１１の表層気流と感光体６の表層気流とは、排気流路４１の入口付近で衝突して圧力が上昇し、吹き出し気流となって排気流路４１から排気される。このため、放電領域を通過することにより放電生成物等を含んだ低湿気体のケース３９外への排気をスムーズに行える。
【０１４７】
また、カウンタローラ５１の回転により、感光体６の表層気流が剥離され、感光体６の表面に残留した放電生成物等の除去を速やかに行える。
【０１４８】
つぎに、本発明の第８の実施の形態を図１２に基づいて説明する。本実施の形態の基本的構造は第７の実施の形態（図１１参照）と同じであり、本実施の形態が第７の実施の形態と異なる点は、第７の実施の形態では感光体６に対して非接触に対向する帯電ローラ１１を用いているのに対し、本実施の形態では、接触帯電ローラ３７を用いている点である。
【０１４９】
接触帯電ローラ３７は、感光体６の長手方向の長さ寸法と略同じ長さ寸法に形成され、感光体６と平行に配置されるとともに感光体６の外周面に接触して配置されている。接触帯電ローラ３７の回転方向は、矢印で示すように感光体６の回転方向に対して連れ回りする方向である。
【０１５０】
排気流路４１は、感光体６と接触帯電ローラ３７との接触位置よりも感光体６の回転方向に沿った上流側近傍に位置し、感光体６から離反する向きに延出して形成されている。
【０１５１】
このような構成において、制御気体供給部９から供給された低湿空気が感光体６の表層気流となってガイド部４３に案内されて感光体６と接触帯電ローラ３７との対向位置に向けて流れ、感光体６と接触帯電ローラ３７との接触位置よりも感光体６の回転方向に沿った上流側の放電領域に導入され、その上流側の放電領域における放電生成物であるＮＯｘから硝酸アンモニウムへの化学変化を抑制でき、硝酸アンモニウムが原因となる感光体６の劣化が防止されるとともに感光体６の耐久性がアップする。
【０１５２】
感光体６の表層気流は、感光体６の長手方向の全域で同じように発生するので、感光体６の長手方向の全域でＮＯｘから硝酸アンモニウムへの化学変化を抑制できる。
【０１５３】
一方、感光体６と接触帯電ローラ３７との接触位置よりも感光体６の回転方向に沿った下流側の放電領域に対しては、第２流入口４４から周囲の空気が流入し、この空気は下流側の放電領域に流入した後に接触帯電ローラ３７の表層気流となって接触帯電ローラ３７の回転方向に沿ってケース３９内の隙間４０を流れる。
【０１５４】
接触帯電ローラ３７の表層気流と感光体６の表層気流とは、排気流路４１の入口付近で衝突して圧力が上昇し、吹き出し気流となって排気流路４１から排気される。このため、放電領域を通過することにより放電生成物等を含んだ低湿空気及び周囲の空気の排気をスムーズに行える。
【０１５５】
なお、第２流入口４４から感光体６の回転方向に沿った下流側の放電領域に流入する外部からの気体として、制御気体供給部９から供給される低湿空気を用いることもできる。この場合には、制御気体供給部９からの低湿空気を第２流入口４４に導く流路をケース３９に形成する。これにより、下流側の放電領域においても放電生成物等の発生を上流側の放電領域と同じように抑制することができ、より一層の感光体の劣化防止、耐久性アップを図れる。
【０１５６】
本実施の形態では、第２流入口４４にカウンタローラ５１を設置することにより、カウンタローラ５１の回転により感光体６の表層気流が剥離されて感光体６の表面に残留した放電生成物等の除去を速やかに行えるとともに、下流側の放電領域への周囲の空気の導入が促進される。
【０１５７】
なお、接触帯電ローラ３７の長手方向の両端側にリング状の溝を形成すれば、制御気体供給部９から供給された低湿空気をその溝を通して、感光体６の外周面における接触帯電ローラ３７との接触箇所より感光体６の回転方向下流側へ流入させることができる。これにより、図示した第２流入口４４や、制御気体供給部９からの低湿空気を第２流入口４４に導く流路を形成する必要がなくなる。
【０１５８】
【発明の効果】
請求項１記載の発明の電子写真方式の画像形成装置によれば、ケースにより外周部の一部を囲まれて感光体に対して非接触に対向配置された帯電ローラの放電領域における放電生成物等の発生を抑制でき、また、ケース内への放電生成物等の残留を防止でき、感光体の劣化を防止して耐久性をアップさせることができる。
【０１５９】
請求項２記載の発明の電子写真方式の画像形成装置によれば、ケースにより全体を囲まれて感光体に対して非接触に対向配置された帯電ローラの放電領域における放電生成物等の発生を抑制でき、また、ケース内への放電生成物等の残留を防止でき、感光体の劣化を防止して耐久性をアップさせることができる。
【０１６０】
請求項３記載の発明の電子写真方式の画像形成装置によれば、ケースにより全体を囲まれて感光体に対して接触して配置された接触帯電ローラの放電領域における放電生成物等の発生を抑制でき、また、ケース内への放電生成物等の残留を防止でき、感光体の劣化を防止して耐久性をアップさせることができる。
【０１６１】
請求項４記載の発明によれば、請求項１ないし３のいずれか一記載の電子写真方式の画像形成装置において、前記ケースにおける前記感光体の回転方向に沿った上流側に対向する縁部に前記感光体の外周面に摺接する可撓性接触部材が設けられているので、感光体の表層気流を可撓性接触部材により感光体の外周面から剥がすことでき、感光体の表層気流がケース内に入り込むことを防止でき、ケース内への制御気体の充填性を高めることができ、放電領域における放電生成物等の発生を抑制する性能を高めることができる。
【０１６２】
請求項５記載の発明によれば、請求項１ないし４のいずれか一記載の電子写真方式の画像形成装置において、前記気流阻止部材として、前記帯電ローラに近接配置されてこの帯電ローラに対してカウンタ回転するカウンタローラが設けられているので、カウンタローラの表層気流が帯電ローラの表層気流に対して衝突し、この衝突により帯電ローラの表層気流がケース内の空間又は上流側空間に入り込むことを阻止でき、感光体の劣化防止及び感光体の耐久性アップの効果を高めることができる。
【０１６３】
請求項６記載の発明によれば、請求項５記載の電子写真方式の画像形成装置において、前記カウンタローラの外周面は租面加工されているので、租面加工によりカウンタローラの表層気流の量が増え、帯電ローラの表層気流がケース内の空間又は上流側空間に入り込むことをより効果的に阻止できる。
【０１６４】
請求項７記載の発明によれば、請求項５又は６記載の電子写真方式の画像形成装置において、前記カウンタローラの直径は前記帯電ローラの直径より小径であるので、カウンタローラの表層気流が帯電ローラの表層気流に対して鋭角的に衝突し、カウンタローラの表層気流が帯電ローラの表層気流に食い込む状態となり、帯電ローラの表層気流がケース内の空間又は上流側空間に入り込むことをより効果的に阻止できる。
【０１６５】
請求項８記載の発明によれば、請求項５記載の電子写真方式の画像形成装置において、前記カウンタローラの外周面にブラシが植毛されているので、ブラシの植毛によりカウンタローラの表層気流の量が増え、帯電ローラの表層気流がケース内の空間又は上流側空間に入り込むことをより効果的に阻止できる。
【０１６６】
請求項９記載の発明によれば、請求項２ないし４のいずれか一記載の電子写真方式の画像形成装置において、前記気流阻止部材として、一端が前記帯電ローラの外周面に近接対向して他端が前記排気口に対向する板状障壁が設けられているので、帯電ローラの表層気流は板状障壁の前後での圧力変動に伴う渦発生によって帯電ローラから剥離され、負圧状態となっている排気口に向けて板状障壁に沿って吸引され、帯電ローラの表層気流が上流側空間に入り込むことを阻止できる。
【０１６７】
請求項１０記載の発明の電子写真方式の画像形成装置によれば、ケースにより全体を囲まれて感光体に対して非接触に対向配置された帯電ローラの放電領域における放電生成物等の発生を抑制でき、感光体の劣化を防止して耐久性をアップさせることができる。
【０１６８】
請求項１１記載の発明の電子写真方式の画像形成装置によれば、ケースにより全体を囲まれて感光体に対して接触して配置された接触帯電ローラの放電領域における放電生成物等の発生を抑制でき、感光体の劣化を防止して耐久性をアップさせることができる。
【０１６９】
請求項１２記載の発明によれば、請求項１０又は１１記載の電子写真方式の画像形成装置において、前記感光体の外周面に向けて供給される制御気体に前記感光体の長手方向の全域に渡って旋回流を発生させる旋回流発生手段が設けられているので、感光体表面の表層気流を制御気体に置換する効果が高くなり、接触帯電ローラの放電領域における放電生成物等の発生の抑制効果を高めることができる。
【０１７０】
請求項１３記載の発明によれば、請求項１２記載の電子写真方式の画像形成装置において、前記旋回流発生手段は、前記感光体の長手方向と平行に配設されたダクトとこのダクト内に配設された羽根車とを有するので、感光体の長手方向に沿った全域に対する制御気体の供給を安定して行える。
【０１７１】
請求項１４記載の発明によれば、請求項１０ないし１３のいずれか一記載の電子写真方式の画像形成装置において、前記ガイド部内に、前記感光体の外周面に対向する除電手段が設けられているので、感光体の表層気流の妨げになることなく除電手段を設けることができる。
【０１７２】
請求項１５記載の発明によれば、請求項３又は１１記載の電子写真方式の画像形成装置において、前記第２流入口に位置して、前記感光体に対してカウンタ回転する第２カウンタローラが設けられているので、第２流入口からの外部からの気体の導入を促進でき、また、感光体の表層気流を剥離して感光体表面に残留した放電生成物等の除去を速やかに行える。
【図面の簡単な説明】
【図１】本発明の第１の実施の形態の画像形成装置の概略構造を示す縦断正面図である。
【図２】その一部を拡大して示す縦断正面図である。
【図３】カウンタローラの変形例を示す正面図である。
【図４】カウンタローラの他の変形例を示す正面図である。
【図５】本発明の第２の実施の形態の画像形成装置の一部を示す縦断正面図である。
【図６】低湿空気の供給、排気構造を示す分解斜視図である。
【図７】本発明の第３の実施の形態の画像形成装置の一部を示す縦断正面図である。
【図８】本発明の第４の実施の形態の画像形成装置の一部を示す縦断正面図である。
【図９】本発明の第５の実施の形態の画像形成装置の一部を示す縦断正面図である。
【図１０】本発明の第６の実施の形態の画像形成装置の一部を示す縦断正面図である。
【図１１】本発明の第７の実施の形態の画像形成装置の一部を示す縦断正面図である。
【図１２】本発明の第８の実施の形態の画像形成装置の一部を示す縦断正面図である。
【図１３】従来例における放電領域からの放電生成物の排出構造を説明する斜視図である。
【符号の説明】
６　　　感光体
９　　　制御気体発生手段
１１　　　帯電ローラ
１４　　　カウンタローラ、気流阻止部材
１６　　　流入口
１７　　　可撓性接触部材
１９　　　ブラシ
２２　　　上流側空間
２３　　　下流側空間
２４　　　排気口
３２　　　板状障壁、気流阻止部材
３５　　　第２カウンタローラ
３７　　　接触帯電ローラ
３８　　　第２流入口
３９　　　ケース
４１　　　排気流路
４３　　　ガイド部
４４　　　第２流入口
４５　　　羽根車
４６　　　旋回流発生手段
５０　　　除電手段
５１　　　第２カウンタローラ
【図１】
2004109811.tif 000003
【図２】
2004109811.tif 000004
【図３】
2004109811.tif 000005
【図４】
2004109811.tif 000006
【図５】
2004109811.tif 000007
【図６】
2004109811.tif 000008
【図７】
2004109811.tif 000009
【図８】
2004109811.tif 000010
【図９】
2004109811.tif 000011
【図１０】
2004109811.tif 000012
【図１１】
2004109811.tif 000013
【図１２】
2004109811.tif 000014
【図１３】
2004109811.tif 000015